(57)【要約】      （修正有）【課題】デジタルマルチプレクサを使用したＦＭステレオ送信機を提供する。【解決手段】デジタルオーディオデコーダが、デジタルオーディオデータを復号し、左右のチャンネルのオーディオ信号が得られる。左右のチャンネルのオーディオ信号は、サンプリング処理のためにオーバサンプリングユニット回路に入力され、ＦＭステレオマルチプレクサへ出力される。ＦＭステレオマルチプレクサは、サンプリングされた左右のチャンネルのオーディオ信号を処理することにより、主信号および副信号を生成する。他方、スイッチ信号およびパイロット信号が、記憶装置から出力されるように、アドレスカウンタで得られる。主信号、副信号およびパイロット信号は、デジタル化されたＦＭステレオデータとして合成される。【選択図】図１
2009027685.tif 000002
【特許請求の範囲】
【請求項１】
互換性を有するデジタルオーディオ記憶装置からデジタルデータを得るために該デジタルオーディオ記憶装置に接続するように適用されるデジタルオーディオＩ／Ｏインタフェースと、
該デジタルオーディオＩ／Ｏインタフェースを経て並列デジタルオーディオデータを得るデジタル化された多重化回路であって出力される直列デジタルデータフォーマットのステレオコンポジット信号を出力するデジタル化された多重化回路と、
前記直列デジタルデータフォーマットの前記ステレオコンポジット信号を出力されるアナログステレオコンポジット信号に変換すべく前記デジタル化された多重化回路に接続されるローパスフィルタと、ＦＭステレオ信号を生成し無線周波数（ＲＦ）アンテナが前記ＦＭステレオ信号を放出すべく前記アナログステレオコンポジット信号を無線周波数搬送波に載せるために、前記ローパスフィルタおよび前記ＲＦアンテナに接続されたＦＭ回路とを含むデジタル化されたＦＭ（周波数変調）ステレオ送信機であって、
前記デジタル化されたＦＭステレオ多重化回路は、
前記並列デジタルオーディオデータを得るべく前記デジタルオーディオＩ／Ｏインタフェースに接続され、前記並列デジタルオーディオデータを復号し右チャンネルのオーディオ信号および左チャネルのオーディオ信号をそれぞれ出力するデジタルオーディオデコーダと、
該デジタルオーディオデコーダの出力端子にそれぞれ接続された２つのプリエンファシス回路であって高周波環境のノイズ干渉を避けるように対応する前記右チャンネルオーディオ信号および左チャンネルオーディオ信号の高周波領域の信号対ノイズ比を高めるプリエンファシス回路と、
前記右チャンネルオーディオ信号および左チャンネルオーディオ信号にサンプリング処理を施すために、前記２つのプリエンファシス回路に接続された２つのオーバサンプリングユニット回路と、
デジタルＦＭステレオデータを出力するように、前記サンプリングされた右チャンネルオーディオ信号および左チャンネルオーディ信号をパイロット信号と共に合成するべく前記２つのオーバサンプリングユニット回路の出力端子に接続されたＦＭステレオマルチプレクサと、
前記デジタルＦＭステレオデータを参照信号にマッチングさせるように同期させるべく前記ＦＭステレオマルチプレクサの出力端子および前記参照信号に接続された再サンプリング回路と、
デジタルステレオオーディオ信号のノイズを高周波領域に持ち上げ、前記ローパスフィルタに出力させ、前記高周波領域の前記ノイズをフィルタにかけ、アナログ信号に変換するように、前記デジタルＦＭステレオデータを得るための前記再サンプリング回路の出力端子に接続されたシグマデルタ変調器とを含み、
前記ＦＭステレオマルチプレクサは、
主信号を生成するために、前記サンプリングされた左右チャンネルのオーディオ信号を得る前記２つのオーバサンプリングユニットに接続された第１の加算器と、
副信号を生成するために、前記サンプリングされた左右チャンネルのオーディオ信号を得る前記２つのオーバサンプリングユニットに接続された減算器と、
アドレスカウンタおよび記憶装置で構成されたスイッチおよびパイロット信号発生器ユニットとを含み、
前記記憶装置は複数の異なる周波数の正弦波信号サンプルおよび定量化した値を記憶し、前記正弦波信号の位相変化に従って、異なる位相の対応する異なる電圧値の前記正弦波信号が連続的なアドレスに記憶され、前記アドレスカウンタと共に前記記憶装置は、前記パイロット信号および前記スイッチ信号の前記正弦波信号を連続的に出力し、前記スイッチ信号は前記副信号と組み合わされて前記第２の加算器に出力され、前記第２の加算器および前記合成器は組合せ信号、副信号およびパイロット信号を加算してデジタルＦＭステレオデータを出力する、ＦＭステレオ送信機。
【請求項２】
ＦＭステレオ送信機のためのデジタル化されたＦＭステレオ多重化回路であって、
前記並列デジタルオーディオデータを得るべく前記デジタルオーディオＩ／Ｏインタフェースに接続され、前記並列デジタルオーディオデータを復号し右チャンネルのオーディオ信号および左チャネルのオーディオ信号をそれぞれ出力するデジタルオーディオデコーダと、
該デジタルオーディオデコーダの出力端子にそれぞれ接続された２つのプリエンファシス回路であって高周波環境のノイズ干渉を避けるように対応する前記右チャンネルオーディオ信号および左チャンネルオーディオ信号の高周波領域の信号対ノイズ比を高めるプリエンファシス回路と、
前記右チャンネルオーディオ信号および左チャンネルオーディオ信号にサンプリング処理を施すために、前記２つのプリエンファシス回路に接続された２つのオーバサンプリングユニット回路と、
デジタルＦＭステレオデータを出力するように、前記サンプリングされた右チャンネルオーディオ信号および左チャンネルオーディ信号をパイロット信号と共に合成するべく前記２つのオーバサンプリングユニット回路の出力端子に接続されたＦＭステレオマルチプレクサと、
前記デジタルＦＭステレオデータを参照信号にマッチングさせるように同期させるべく前記ＦＭステレオマルチプレクサの出力端子および前記参照信号に接続された再サンプリング回路と、
デジタルステレオオーディオ信号のノイズを高周波領域に持ち上げ、前記ローパスフィルタに出力させ、前記高周波領域の前記ノイズをフィルタにかけ、アナログ信号に変換するように、前記デジタルＦＭステレオデータを得るための前記再サンプリング回路の出力端子に接続されたシグマデルタ変調器とを含み、
前記再サンプリング回路は第１の位相−周波数検出器、アキュムレータ、第１の分周器およびＤタイプフリップフロップを含み、前記第１の位相−周波数検出器は、システムクロック信号でチェックすべく基準クロック信号に接続され、前記システムクロック信号は前記アキュムレータに入力され、次に前記第１の分周器によりさらに処理され、前記基準クロック信号と共に前記第１の位相−周波数検出器に同時に入力され、その時点で、前記第１の位相−周波数検出器は前記２つのクロック信号の位相差を検出し、次に前記アキュムレータに入力し、結果的にNで分割された参照信号が前記Ｄタイプフリップフロックのクロック端子へ出力され、その時点で前記Ｄフリップフロップの入力端子は前記ＦＭステレオマルチプレクサの出力端子に接続される、デジタル化されたＦＭステレオ多重化回路。
【請求項３】
前記ＦＭステレオマルチプレクサは、
主信号を生成するために、前記サンプリングされた左右チャンネルのオーディオ信号を得る前記２つのオーバサンプリングユニットに接続された第１の加算器と、
副信号を生成するために、前記サンプリングされた左右チャンネルのオーディオ信号を得る前記２つのオーバサンプリングユニットに接続された減算器と、
アドレスカウンタおよび記憶装置で構成されたスイッチおよびパイロット信号発生器ユニットとを含み、
前記記憶装置は複数の異なる周波数の正弦波信号サンプルおよび定量化した値を記憶し、前記正弦波信号の位相変化に従って、異なる位相の対応する異なる電圧値の前記正弦波信号が連続的なアドレスに記憶され、前記アドレスカウンタと共に前記記憶装置は、前記パイロット信号および前記スイッチ信号の前記正弦波信号を連続的に出力し、前記スイッチ信号は前記副信号と組み合わされて前記第２の加算器に出力され、前記第２の加算器および前記合成器は組合せ信号、副信号およびパイロット信号を加算してデジタルＦＭステレオデータを出力する、請求項２に記載のデジタル化されたＦＭステレオ多重化回路。
【発明の詳細な説明】
【技術分野】
【０００１】
本発明は、周波数変調（以下、ＦＭと称す。）ステレオ送信機に関し、より詳細には、前記ＦＭステレオ送信機が直接デジタルオーディオ信号を受信し、また送信のために前記デジタルオーディオ信号を処理することを可能とするデジタルマルチプレクサを使用するデジタル化されたＦＭステレオ送信機に関する。
【背景技術】
【０００２】
早くから右チャンネルおよび左チャンネルのそれぞれのオーディオ信号を送信するために２台のＦＭ無線送信機を用いることができると提案されていた。２台の無線受信機を用いて前記オーディオ信号をそれぞれ受信し該オーディオ信号を同時に再生することにより、ステレオ効果が得られる。とは言え、この方法は、経済的ではなく、実用的ではない。
【０００３】
従来のＦＭステレオ送信機のために一般的に使用されている従来のＦＭステレオ信号を生成する方法は、次のとおりである。初めに、通常ＡＵＸアナログオーディオ端子に接続される左右チャンネルのアナログオーディオ信号は、アナログ時分割多重によって変換され、次にパイロット信号と共にステレオコンポジット信号として合成される。最終的にステレオコンポジット信号は、ＦＭ変調回路により搬送波で変調され、ＦＭステレオ信号がアンテナから送信される。
【０００４】
図６を参照するに、従来のＦＭステレオ送信機は、右チャンネルオーディオ処理部５０と、左チャンネルオーディオ処理部６０と、ステレオ変調部７０と、周波数変調部９０と、位相ロックループ（ＰＬＬ）周波数同期部８０とを有する。
【０００５】
右チャンネルオーディオ処理部５０は、アナログオーディオ端子ブロック１００の右オーディオ入力Ｒに接続されている。右チャンネルオーディオ処理部５０は、第１のボリューム（音量）調整器５１と、第１のプリエンファシス回路５２と、第１のストッパ５３と、第１のローパスフィルタ５４とを有する。初めに、右チャンネルオーディオ信号は、振動の振幅調整のための第１のボリューム調整器５１を通る。次に、第１のプリエンファシス回路５２は、信号対ノイズ比（Ｓ／Ｎ）が高めるために、デエンファシス信号処理を受ける高周波信号レベルを上げる。その後、前記右チャネルのオーディオ信号は、さらに第１のストッパ５３および第１のローパスフィルタ５４で処理を受け、出力される。
【０００６】
左チャンネルオーディオ処理部６０は、アナログオーディオ端子ブロック１００の左オーディオ入力Ｌに接続されている。左チャンネルオーディオ処理部６０は、第２のボリューム（音量）調整器６１と、第２のプリエンファシス回路６２と、第２のストッパ６３と、第２のローパスフィルタ６４とを有する。左チャンネルオーディオ処理部６０の動作は、前記した右チャンネルオーディオ処理部５０と同様である。
【０００７】
ステレオ変調部７０は、右チャンネルオーディオ処理部５０および左チャンネルオーディオ処理部６０に接続されている。ステレオ変調部７０は、アナログマルチプレクサ７１と、合成器７３と、ミュート回路７４と、スイッチ信号３８ＫＨｚと、パイロット信号１９ＫＨｚとを有する。アナログマルチプレクサ７１は、右チャンネルオーディオ処理部５０および左チャンネルオーディオ処理部６０の各出力端子およびスイッチ信号に接続されている。アナログマルチプレクサ７１は、前記スイッチ信号の周波数に従って、右チャンネルオーディオ信号および左チャンネルオーディオ信号を交互に合成器７３に出力する。合成器７３は、ステレオコンポジット信号を合成すべく、パイロット信号１９ＫＨｚに接続されている。次に、前記ステレオコンポジット信号は、ミュート回路７４を経て、出力される。
【０００８】
周波数変調部９０の入力端子は、ステレオ変調部７０の出力端子に接続されており、周波数変調部９０の出力端子は、無線周波数（以下、ＲＦと称す。）アンテナに接続されている。このようにして、前記ステレオコンポジット信号はＲＦ搬送波に載せられ、前記ＲＦアンテナから送出される。
【０００９】
周波数変調部９０は、第１の可変コンデンサＶＣ１および第２の可変コンデンサＶＣ２と、インダクタンスＬと、第１の抵抗器ｒ１および第２の抵抗器ｒ２と、発振回路９１と、第１のＲＦ増幅器１０２および第２のＲＦ増幅器１０３とを備える。第１の可変コンデンサＶＣ１および第２の可変コンデンサＶＣ２は、前記ステレオコンポジット信号の電圧の振れに従って容量を調整すべく、ステレオ変調部７０の前記出力端子に接続されている。第１のＲＦ増幅器１０２および第２のＲＦ増幅器１０３は、前記ＲＦアンテナに接続されるように使用されている。
【００１０】
位相ロックループ（ＰＬＬ）周波数同期部８０は、周波数発生回路８０−１および位相比較回路８０−２を有する。周波数発生回路８０−１は、水晶発振回路８１および複数の分周器８２〜８５を含む。水晶発振回路８１で発生するベースバンド信号Ｘosc７．６ＭＨｚは、ステレオ変調部７０のための前記スイッチ信号３８ＫＨｚおよびパイロット信号１９ＫＨｚや他のベースバンド信号を生成するように、分周器８２〜８５で分割される。
【００１１】
さらに、位相比較回路８０−２は、位相比較器８７、カウンタ８６および第３のローパスフィルタ８８を含む。位相比較器８７の２つの入力端子は、周波数発生回路８０−１の分周器８５およびカウンタ８６の出力端子にそれぞれ接続されている。位相比較器８７の出力端子は、第３のローパスフィルタ８８を経て、周波数変調部９０の第１の可変コンデンサＶＣ１および第２の可変コンデンサＶＣ２に接続されている。設定回路１０１がカウンタ８６に分割された周波数値を設定した後、位相比較器８７が放送伝送信号を前記ベースバンド信号と比較するように、前記放送伝送信号が位相比較器８７に供給される。比較結果の信号は、次、に第３のローパスフィルタ８８を経て、第１の可変コンデンサＶＣ１および第２の可変コンデンサＶＣに出力される。このようにして、周波数チャネルの搬送周波数を設定するように、可変コンデンサの容量値を調整することができる。
【００１２】
上記から明らかなように、従来のＦＭステレオ送信機は、主に、アナログオーディオ信号を処理するように使われており、また、大量のアナログ回路を使う。したがって、従来のＦＭステレオ送信機の集積回路のコストは効果的に下げることができず、また、ノイズや干渉を効果的に除去することができない。
【発明の開示】
【発明が解決しようとする課題】
【００１３】
本発明の目的は、ＦＭステレオ送信機が直接デジタルオーディオ信号を受け、デジタルオーディオ信号を処理することを可能にすべく、デジタルマルチプレクサを使用したＦＭステレオ送信機を提供することにある。本発明は、良好な騒音防止目的を達成する点で、従来のアナログ回路より優れている。
【課題を解決するための手段】
【００１４】
上記の目的を達成するために、本発明に係るＦＭステレオ送信機のためのデジタル化されたＦＭステレオ多重化回路は、デジタルオーディオＩ／Ｏインタフェース、デジタル化されたＦＭステレオ多重化（マルチプレキシング）回路、ローパスフィルタおよびＦＭ回路を備える。
【００１５】
デジタルオーディオデータが入力すると、左右チャネルのオーディオ信号を得るために、デジタルオーディオデコーダは、デジタル音声データを復号する。左右チャネルのオーディオ信号は、サンプリング処理のために、対応するオーバサンプリングユニット回路にそれぞれ入力され、その後ＦＭステレオマルチプレクサに出力される。ＦＭステレオマルチプレクサは、サンプリングされた左右チャネルのオーディオ信号を処理することにより、主信号および副信号を生成する。他方、スイッチ信号およびパイロット信号が、記憶装置から出力されるように、アドレスカウンタで得られる。次に、前記主信号、副信号およびパイロット信号がデジタルＦＭステレオデータとして合成される。
【００１６】
その後、前記デジタルＦＭステレオデータは、マッチングするように同期され、ノイズは、１ビットの直列データストリームで前記ローパスフィルタに出力される前記デジタルＦＭステレオデータを作るために、調整される。デジタルＦＭステレオデータのノイズは、高周波数領域に調整されるので、ノイズは、ローパスフィルタを通過させることにより、フィルタをかけられる。それゆえ、高品質のＦＭステレオ信号を復元することができる。
【発明を実施するための最良の形態】
【００１７】
図１を参照するに、本発明に係るＦＭステレオ送信機の好適な具体例は、デジタルオーディオＩ／Ｏインタフェース１０、デジタル化されたＦＭステレオマルチプレキシング回路２０、ローパスフィルタ３０およびＦＭ回路４０を有する。
【００１８】
デジタルオーディオＩ／Ｏインタフェース１０は、デジタルオーディオデータを得るために、互換性を有するデジタルオーディオ記憶装置との結合のために使われている。デジタルオーディオＩ／Ｏインタフェース１０は、ＣＤ−ＲＯＭまたはＭＰ３のデジタル出力インタフェース等のようなIIＳまたはIIＣデジタルオーディオフォーマットインタフェースである。
【００１９】
デジタル化されたＦＭステレオ多重化（マルチプレキシング）回路２０は、デジタル化されたマルチプレキシング変調処理のために、デジタルオーディオＩ／Ｏインタフェース１０を経て並列のデジタルオーディオデータを得る。次に、連続したデジタルデータフォーマットのステレオ合成信号は、デジタル化されたＦＭステレオ多重化回路２０のブロック図の下方位置に示された１つのシングル出力OUT１を経て、出力される。
【００２０】
ローパスフィルタ３０は、直列デジタルデータフォーマットのステレオ合成信号をアナログステレオ合成信号に変換してアナログステレオ合成信号を出力するために、デジタル化されたＦＭステレオ多重化回路２０の出力OUT１に接続されている。
【００２１】
ＦＭ回路４０は、ローパスフィルタ３０の出力端子に接続される入力端子と、無線周波数（以下ＲＦと称す。）アンテナ５０に接続される出力端子とを有する。ＦＭ回路４０は、無線周波数搬送波にアナログステレオ合成信号を載せるために使われており、ＲＦアンテナ５０は、その後アナログステレオ合成信号を外に放射する。
【００２２】
図２を参照するに、本発明に係るデジタル化されたＦＭテレオ多重化（マルチプレキシング）回路２０のブロック図は、デジタルオーディオデコーダ２１、２つのプレエンファシス回路２２、２つのオーバサンプリングユニット２３、ＦＭステレオマルチプレクサ２４、再サンプリング回路２５およびノイズシェーパ２６を有する。
【００２３】
デジタルオーディオデコーダ２１は、デジタルオーディオＩ／Ｏインタフェース１０に接続され、並列のデジタルオーディオデータを得て、該並列デジタルオーディオデータを復号し、左チャネルのオーディオ信号および右チャネルのオーディオ信号（Ｌ／Ｒ）をそれぞれ出力する。
【００２４】
２つのプレエンファシス回路２２は、デジタルオーディオデコーダ２１の出力端子にそれぞれ接続されている。２つのプレエンファシス回路２２は、高周波環境のノイズ干渉を避けるように、対応する左チャネルのオーディオ信号および右チャネルのオーディオ信号（Ｌ／Ｒ）の高周波領域の信号対雑音比（Ｓ／Ｎ）を高める。
【００２５】
２つのオーバサンプリングユニット回路２３は、対応するプレエンファシス回路２２にそれぞれ接続され、出力される左チャネルのオーディオ信号および右チャネルのオーディオ信号（Ｌ／Ｒ）を高レートでサンプリングを処理する。この好適な具体例では、サンプリングユニット回路２３は、８倍のサンプリングレートを有する。
【００２６】
ＦＭステレオマルチプレクサ２４は、デジタルＦＭステレオデータＭ（ｔ）を出力するように、パイロット信号と共にサンプリングされた左チャネルのオーディオ信号および右チャネルのオーディオ信号（Ｌ／Ｒ）を結合する２つのオーバサンプリングユニット回路２３の出力端子に接続されている。
【００２７】
図４を参照するに、再サンプリング回路２５は、第１の位相−周波数検出器２５１、アキュムレータ２５２、Ｎで分割する第１の分周器２５３およびＤタイプフリップフロップ２５４を含む。第１の位相−周波数検出器２５１は、システムクロック信号SYS_CKでチェックすべく基準クロック信号REF_CKに接続される。システムクロック信号SYS_CKは、８〜４０ＭＨｚから1つの周波数信号を選択する。システムクロック信号SYS_CKは、アキュムレータ２５２に入力され、次に第１の分周器２５３により、さらに処理される。次に、システムクロック信号SYS_CKおよび基準クロック信号REF_CKは、第１の位相−周波数検出器２５１に同時に入力される。この時点で、第１の位相−周波数検出器２５１は、前記２つのクロック信号の位相差を検出し、次にそれをアキュムレータ２５２へ入力する。結局、この好適な具体例では８に等しいNで分割された参照信号が、Dタイプフリップフロップ２５４のクロック端子CKに出力される。この時点で、Dタイプフリップフロップ２５４の入力端子は、ＦＭステレオマルチプレクサ２４の出力端子に接続される。それゆえ、デジタルＦＭステレオデータＭ（ｔ）は、Ｄタイプフリップフロップ２５４を経て前記参照信号にマッチングするように同期することができる。すなわち、たとえ、どのように、クロック信号周波数が変化しても、デジタルＦＭステレオデータＭ（ｔ）と前記参照信号は、マッチングする。したがって、本発明は、異なるシステムクロックに適応することができる。
【００２８】
ノイズシェーパ２６は、デジタルステレオオーディオ信号のノイズを高周波領域に持ち上げるように、デジタルＦＭステレオデータＭ（ｔ）を得るための再サンプリング回路２５の出力端子に接続される。次に前記デジタルステレオオーディオ信号は、高周波領域のノイズにフィルタをかけるために、ローパスフィルタ３０に出力される。ノイズシェーパ２６は、シグマデルタ変調器である。
【００２９】
図３を参照するに、本発明に係るＦＭステレオマルチプレクサ２４のブロック図の詳細な回路は、第１の加算器２４１と、減算器２４２と、アドレスカウンタ２４４および記憶装置２４５を有し、スイッチ−パイロット信号発生器ユニット２４３と、第２の加算器２４６と、合成器２４７とを備える。
【００３０】
第１の加算器２４１は、主信号Ｌ+Ｒを生成するように、サンプリングされた左右のチャネルのオーディオ信号（Ｌ／Ｒ）を得るための２つのオーバサンプリングユニット２３に接続されている。
【００３１】
減算器２４２は、副信号Ｌ−Ｒを生成するように、サンプリングされた左右のチャネルのオーディオ信号（Ｌ／Ｒ）を得るための２つのオーバサンプリングユニット２３に接続されている。
【００３２】
スイッチ−パイロット信号発生器ユニット２４３は、アドレスカウンタ２４４および記憶装置２４５で構成されている。記憶装置２４５は、複数の異なる周波数正弦波信号サンプルと定量化した値を記憶する。前記正弦波信号の位相変化に従って、異なる位相の対応する異なる電圧の前記正弦波信号が連続するアドレスに記憶される。計数を循環すべくアドレスカウンタ２４４と共同するために、記憶装置２４５は、継続的にスイッチ信号およびパイロット信号が必要とする電流の正弦波信号を出力する。それが、いわゆるルックアップテーブル法である。この好適な具体例では、スイッチ信号およびパイロット信号の正弦波信号は、それぞれsin (４πfct)およびsin(２πfct)で表され、ここでｆｃは１９ＫＨｚである。それゆえ、スイッチ信号は３８ＫＨｚであり、パイロット信号は１９ＫＨｚである。スイッチ信号は、前記第２の加算器２４６に組合せ信号を出力する合成器２４７で前記副信号と組み合わせられる。次に、第２の加算器２４６は、前記組合せ信号、前記主信号およびパイロット信号を加算し、デジタルＦＭステレオデータｍ（ｔ）を出力する。
【００３３】
デジタル化されたＦＭステレオマルチプレキシング回路２０の上記した構成から、デジタルオーディオデータが入力されると、デジタルオーディオデコーダ２１がデジタル音声データを復号して、左チャネルのオーディオ信号と右チャネルのオーディオ信号とが得られることは理解できるであろう。左チャネルのオーディオ信号と、右チャネルのオーディオ信号とは、サンプリング処理のためにオーバサンプリングユニット回路２３に入力され、それからＦＭステレオマルチプレクサ２４に出力される。ＦＭステレオマルチプレクサ２４は、サンプリングされた左チャネルのオーディオ信号と右チャネルのオーディオ信号とを処理することにより、次に主信号と副信号とを生成する。他方、前記スイッチ信号およびパイロット信号は、アドレスカウンタ２４４で得られ、記憶装置２４５から出力される。次に、前記主信号、副信号およびパイロット信号が、前記デジタルＦＭステレオデータとして合成される。
【００３４】
その後、前記デジタルＦＭステレオデータは、マッチングするように同期され、ノイズは、１ビットの直列データストリームで前記ローパスフィルタに出力される前記デジタルＦＭステレオデータを作るために、調整される。デジタルＦＭステレオデータのノイズは、高周波数領域に調整されるので、ノイズは、ローパスフィルタを通過させることにより、フィルタをかけられる。それゆえ、高品質のＦＭステレオ信号を復元することができる。
【００３５】
図５を参照するに、本発明に係るＦＭ回路４０は、共振回路４１、第２の位相−周波数検出器４４、プログラムカウンタ４５、第２の分周器４６およびＲＦ増幅器４７を備える。
【００３６】
共振回路４１は、は２つの可変容量ダイオード４２、複数のコンデンサ４３およびインダクタンスＬを有する。コンデンサ４３は、可変容量ダイオード４２およびインダクタンスＬにそれぞれ並列に接続されている。すべてのコンデンサ４３は、電子スイッチ４３１にそれぞれ直列に接続されている。
【００３７】
第２の位相−周波数検出器４４は、電子スイッチ駆動回路４４２を経て共振回路４１の電子スイッチ４３１の制御端末に接続された第１の出力端子と、チャージポンプ４４１を経て２つの可変容量ダイオード４２の接続ノードに接続された第２の出力端子を有する。このように、共振回路４１は、共振周波数を制御するために前記２つの信号によって制御を受けることができる。すなわち、コンデンサ４３は、デジタル化された周波数の粗い調整機能を形成し、２つの可変容量ダイオード４２は、アナログ微調整機能を提供し、これは従来の共振回路と異なる。
【００３８】
プログラムカウンタ４５は、ユーザがカウンタ値を設定できるように、設定インタフェース４５１を経る入力端子を有する。プログラムカウンタ４５の出力端子は、第２の位相−周波数検出器４４の第１の入力端子に接続されている。
【００３９】
第２の分周器４６は、第２の位相−周波数検出器４４の第２の入力端子に出力するシステムクロック信号SYS_CKの周波数を分割するように、システムクロック信号SYS_CKに接続された入力端子を有する。
【００４０】
ＲＦ増幅器４７は、ＲＦアンテナ５０への接続のために、共振回路４１の出力端子に接続される入力端子を有する。
【００４１】
前記したＦＭ回路４０は、ユーザの設定に対応したＦＭ信号を第２の位相−周波数検出器４４に出力するために、プログラムカウンタ４５を使う。この時点で、第２の位相−周波数検出器４４は、前記ＦＭ信号を周波数分割システムクロックカウンタSYS_CKと比較する。電子スイッチ駆動回路４４２およびチャージポンプ４４１は、共振回路４１の共振周波数を調整する第２の位相−周波数検出器４４の比較結果に従って、粗調整および微調整を処理する。最終的に、ＲＦ増幅器４７は、ＲＦアンテナ５０に変調したステレオオーディオ信号を送出する。
【００４２】
要するに、本発明は、直接デジタル化されたオーディオデータを処理するために、デジタル化された周波数変調ステレオマルチプレキシング回路を提供することである。
【００４３】
デジタル化された周波数変調ステレオマルチプレキシング回路はデジタル化された回路設計を使うので、本発明は、良好なノイズ防止目的を達成する従来のアナログ回路より優れている。さらに、デジタル出力は、従来のＤ／Ａコンバータを取り除くことができ、アナログ信号に変換するためのローパスフィルタを使うだけであり、それは非常に単純である。さらに、従来の８〜４０ＭＨｚのシステムクロック信号を多重変調のために水晶発振器を使わずに、直接使うことができる。前記共振回路は、またデジタルおよびアナログの粗調整および微調整の機能を使い、それは従来の共振回路よりずっと精密である。したがって、本発明は、真に新規で改善されたデザインである。
【００４４】
本発明が例として好適な具体例で説明されたが、本発明がそれに制限されないことが理解されるべきである。それどころか、様々な変更や同様な配置および手順を含むことを意図しているので、添付の請求の範囲は、すべてのそのような変更や同様な配置および手順をと手続を含むように最も広い解釈を与えられるべきである。
【図面の簡単な説明】
【００４５】
【図１】本発明に係るＦＭステレオ送信機のブロック図である。
【図２】本発明に係るＦＭステレオ多重化回路のブロック図である。
【図３】本発明に係るＦＭステレオマルチプレクサの詳細なブロック図である。
【図４】本発明に係る再サンプリング回路の詳細なブロック図である。
【図５】本発明に係るＦＭ回路のブロック図である。
【図６】従来技術による従来のＦＭステレオ送信機のブロック図である。
【符号の説明】
【００４６】
１０  デジタルオーディオＩ／Ｏインタフェース
２０  デジタル化されたＦＭステレオ多重化（マルチプレキシング）回路
２１  デジタルオーディオデコーダ
２２  プレエンファシス回路
２３  オーバサンプリングユニット回路
２４  マルチプレクサ
２５  再サンプリング回路
２６  ノイズシェーパ（シグマデルタ変調器）
３０  ローパスフィルタ
４０  ＦＭ回路
４１  共振回路
４２  可変容量ダイオード
４４  第２の位相−周波数検出器
４５  プログラムカウンタ
４６  第２の分周回路
５０  ＲＦアンテナ
２４１  第１の加算器
２４２  減算器
２４３  スイッチ−パイロット信号発生器ユニット
２４４  アドレスカウンタ
２４５  記憶装置
２４６  第２の加算器
２４７  合成器
２５１  第１の位相−周波数検出器
２５２  アキュムレータ
２５３  第１の分周器
２５４  フリップフロップ
【図１】
2009027685.tif 000003
【図２】
2009027685.tif 000004
【図３】
2009027685.tif 000005
【図４】
2009027685.tif 000006
【図５】
2009027685.tif 000007
【図６】
2009027685.tif 000008